【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
圧力レベルを調整することによって、気道を有する被検体の睡眠時無呼吸を処置するシステムであって、
（ａ）治療レジメンに従って、被検体の気道に供給される呼吸用ガスの加圧フローを生成することにより、治療使用期間を提供する圧力生成器と、
（ｂ）呼吸用ガスの加圧フロー及び／又は被検体の気道に関する測定値を示す出力信号を生成する１又は複数のセンサと、
（ｃ）コンピュータプログラムモジュールを実行する１又は複数のプロセッサと、
を有し、前記コンピュータプログラムモジュールが、
（１）前記生成された出力信号に基づいて呼吸イベントを検出する呼吸イベントモジュールと、
（２）前記検出された呼吸イベントに基づいて目標圧力レベルを調整する目標圧力モジュールであって、前記目標圧力モジュールは、連続する調整が少なくとも治療使用期間の閾値量の間隔をあけて行われるように、前記目標圧力レベルを調整し、前記治療使用期間の閾値量は、２以上の治療セッションをスパンする治療使用期間に対応する、目標圧力モジュールと、
（３）被検体の気道又はその近傍における圧力が前記目標圧力レベルに又はその近傍に維持されるように呼吸用ガスの加圧フローを調整するために、前記圧力生成器を制御する制御モジュールと、
を含む、システム。
【請求項２】
前記システムは、
（ｉ）治療セッションの第１の組の最中に検出される呼吸イベントと、治療セッションの第２の組の最中に検出される呼吸イベントとの比較に基づく第１の票であって、第２の組の１又は複数の治療セッションが第１の組の治療セッションに先行する、第１の票、及び
（ｉｉ）治療セッションの第１の組の最中に検出される呼吸イベントと、治療セッションの第３の組の最中に検出される呼吸イベントとの比較に基づく第２の票であって、第３の組の１又は複数の治療セッションが第２の組の治療セッションに先行する、第２の票、
を決定する票計算モジュールを有し、
前記検出された呼吸イベントに基づく前記目標圧力レベルの調整が、前記票計算モジュールによって決定される票に基づいて前記目標圧力レベルを調整することを含むように、前記目標圧力モジュールが構成される、請求項１に記載のシステム。
【請求項３】
治療セッションの第２の組が治療セッションの第１の組に先行し、治療セッションの第３の組が治療セッションの第２の組を含む、請求項２に記載のシステム。
【請求項４】
前記検出された呼吸イベントに基づいて目標圧力レベルを調節する前記目標圧力モジュールは、前記検出された呼吸イベントの変動の決定に基づいて前記目標圧力レベルを調整する、請求項１に記載のシステム。
【請求項５】
前記検出された呼吸イベントに基づく前記目標圧力レベルの調整は、前記調整が治療セッションの合間に行われるように実施される、請求項１に記載のシステム。
【請求項６】
前記検出された呼吸イベントに基づいて目標圧力レベルを調節する前記目標圧力モジュールは、複数の治療セッションをスパンする期間にわたって検出される呼吸イベントを表現する指数が、該指数に関する予め決められた変動のレンジで変化したとの決定に応じて、前記目標圧力レベルを低下させる、請求項１に記載のシステム。
【請求項７】
圧力レベルを調整することによって気道を有する被検体の睡眠時無呼吸を処置する方法であって、
治療レジメンに従って、目標圧力レベル又はその近傍の圧力レベルを有する呼吸用ガスの加圧フローを生成し、前記加圧フローを被検体の気道に供給することにより、治療使用期間を提供するステップと、
呼吸用ガスの加圧フロー及び／又は被検体の気道に関する測定値を示す１又は複数の出力信号を生成するステップと、
前記生成された出力信号に基づいて呼吸イベントを検出するステップと、
前記検出された呼吸イベントに基づいて前記目標圧力レベルを調整するステップであって、連続する調整が、少なくとも治療使用期間の閾値量の間隔をあけて行われ、前記治療使用期間の閾値量は、２以上の治療セッションをスパンする治療使用期間に対応する、ステップと、
を含む方法。
【請求項８】
前記方法が、
（ｉ）治療セッションの第１の組の最中に検出される呼吸イベントと、治療セッションの第２の組の最中に検出される呼吸イベントとの比較に基づく第１の票であって、第２の組の１又は複数の治療セッションが第１の組の治療セッションに先行する、第１の票、及び
（ｉｉ）治療セッションの第１の組の最中に検出される呼吸イベントと、治療セッションの第３の組の最中に検出される呼吸イベントとの比較に基づく第２の票であって、第３の組の１又は複数の治療セッションが第２の組の治療セッションに先行する、第２の票、
を決定するステップを更に含み、
前記検出された呼吸イベントに基づく前記目標圧力レベルの調整は、第１の票及び第２の票に基づいて前記目標圧力レベルを調整することを含む、請求項７に記載の方法。
【請求項９】
治療セッションの第２の組は、治療セッションの第１の組に先行し、治療セッションの第３の組は治療セッションの第２の組を含む、請求項８に記載の方法。
【請求項１０】
治療セッションの第１の組の最中に検出される呼吸イベントと、治療セッションの第４の組の最中に検出される呼吸イベントとの比較に基づいて、第３の票を決定するステップを更に含み、
第４の組の１又は複数の治療セッションが第１の組の治療セッションに先行し、第４の組の治療セッションが第１の組の治療セッションの少なくとも２倍の治療使用期間をスパンする、請求項８に記載の方法。
【請求項１１】
前記検出された呼吸イベントに基づく前記目標圧力レベルの調整は、前記調整が治療セッションの合間に行われるように、前記検出された呼吸イベントに基づいて前記目標圧力レベルを調整することを含む、請求項７に記載の方法。
【請求項１２】
圧力レベルを調整することによって、気道を有する被検体の睡眠時無呼吸を処置するシステムであって、
治療レジメンに従って、目標圧力レベル又はその近傍の圧力レベルを有する呼吸用ガスの加圧フローを生成し、前記加圧フローを被検体の気道に供給することにより、治療使用期間を提供する手段と、
呼吸用ガスの加圧フロー及び／又は被検体の気道に関連する測定値を示す１又は複数の出力信号を生成する手段と、
前記生成された出力信号に基づいて呼吸イベントを検出する手段と、
前記検出された呼吸イベントに基づいて目標圧力レベルを調整する手段であって、連続する調整が、少なくとも治療使用期間の閾値量の間隔をあけて行われ、前記治療使用期間の閾値量が、２以上の治療セッションをスパンする治療使用期間に対応する、手段と、
を有するシステム。
【請求項１３】
前記システムが、
（ｉ）治療セッションの第１の組の最中に検出される呼吸イベントと、治療セッションの第２の組の最中に検出される呼吸イベントとの比較に基づいて、第１の票を導き出す処理であって、第２の組の１又は複数の治療セッションが第１の組の治療セッションに先行する、処理と、
（ｉｉ）治療セッションの第１の組の最中に検出される呼吸イベントと、治療セッションの第３の組の最中に検出される呼吸イベントとの比較に基づいて、第２の票を導き出す処理であって、第３の組の１又は複数の治療セッションが第２の組の治療セッションに先行する、処理と、
を行う手段を更に有し、
前記目標圧力レベルを調整する手段が、第１の票及び第２の票に基づいて前記目標圧力レベルを調整する手段を含む、請求項１２に記載のシステム。
【請求項１４】
治療セッションの第２の組が治療セッションの第１の組に先行し、治療セッションの第３の組が治療セッションの第２の組を含む、請求項１３に記載のシステム。
【請求項１５】
前記システムが、治療セッションの第１の組の最中に検出される呼吸イベントと、治療セッションの第４の組の最中に検出される呼吸イベントとの比較に基づいて、第３の票を導き出す手段を更に有し、
第４の組の１又は複数の治療セッションが第１の組の治療セッションに先行し、第４の組の治療セッションが、第１の組の治療セッションの少なくとも２倍の治療使用期間をスパンする、請求項１３に記載のシステム。
【請求項１６】
前記検出された呼吸イベントに基づいて前記目標圧力レベルを調整する手段は、調整が治療セッションの合間に行われるように動作する、請求項１２に記載のシステム。